(57)【要約】      （修正有）【課題】片手で操作でき、軽量小型、取り扱いも簡単な携帯用ポケットサイズ型書見台を提供する。【解決手段】円形の基台１，２を互いに回動可能に蝶ネジ８で連結すると共に、基台１には基台移動用ミゾ３を設ける。基台１の左右に耳状６を作り、転倒防止主柱アーチ１９を設け、その中央部に横転落下防止２６を設ける。基台１の下部左右に耳状を作り、耳状の穴に線を通し外側に折り曲げて２本のページ押さえアーム１３，１４とした。概ページ押さえアームの先端には回転ビーズ１１，１２を取り付けページがスムーズに移行して、破損しないようにした。【選択図】図１
2010069189.tif 000002
【特許請求の範囲】
【請求項１】
円形の基台（1）（2）を重ね回動可能になるようチョウネジ（8）で連結し、基台（1）に基台移動用ミゾ（3）を設け基台の伸縮の巾をもたせた。基台（1）の左右に耳状（6）（10）を設けた。本を立てるため、本の背を支える転倒防止用主柱アーチ（19）を設けアーチの先端に転倒防止ストッパー（5）を、更に本が横転しないためアーチ頭部をある程度外側に曲げ、ゴム製の円形ストッパー（16）を設けた書見台。
【請求項２】
読書し易くする為、本の傾斜角度を容易に調整する本の背受け（4）を可動式とし、基台（1）に背受けミゾ（22）を設け本の背受けをミゾ（23）に差し込み調整できる書見台。
【請求項３】
基台に本を載置しページを開いた際、ページが閉じないようにページ押さえアーム（13）（14）を設けた。ページが破損しないようアームの先端にビーズ玉各1個（11）（12）を取り付けビーズ玉に回転をもたせページの破損防止を図った書見台。
【請求項４】
書見台に本を載置し読み始める場合、本自体の重みが左右いずれかににかかり横転することがある。この横転を防止するため横転防止ストッパー（15）（16）を左右両端に設けた。又、基台自体の横転を防止するため基台の回転角度を変え［図6］［図7］［図8］基台がL字型になるように基台自体の転倒防止を図った。基台をL字型にした時に生ずる少々のローリング現象を防止するため、ローリング防止爪（21）をつけた書見台。
【請求項５】
基台（1）の下部に市販のクリップ（20）を取り付け、用紙を挟みメモが取れるようにした。基台（1）の左右の耳状（7）（１０）にミゾ（22）（22）を設けミゾに市販のカードケース（26）を立て［図4］原稿用紙を挟みパソコン又はワープロの入力ができるようにした書見台。     
【請求項６】
基台（2）の裏面にゴム製のスベリ止め（24）を設け基台の安定を図った書見台。
【発明の詳細な説明】
【技術分野】
【０００１】
本発明は脳障害や各種事故等の後遺症で片手しか使えず読書等に支障をきたしている方々の為に片手で操作ができ軽量小型、取り扱いも簡単でしかもページを読み終えるまで本に手を触れなくて済み、メモを取るときは基台に取り付けたクリップに用紙を挟みメモが取れるようにした。又、パソコン等の原稿を使用するときは耳状のミゾにガードケースを立て応用できるようにした。本発明品は制作費が安価で構成部品も少なく組み立ても簡単で量産ができる携帯用ポケットサイズ型の書見台。   
【背景技術】
【０００２】
従来の書見台は多種多様な形状及び構造で提案されているが、その共通点は本を読み易く、ページがめくり易く、見開いたページをいかに押さえるかという点にあり、いずれの場合も健常者を対象に考案されたもので片手しか使えない障害者等のために提案された書見台は極めて少ない。又、従来提案されている書見台は据置型か大型で本を書見台に載置する際ページを見開きページの両端をページ押さえ具に押入する作業が障害者にはむつかしい。提供されている書見台は読書中メモを取る治具がない。仮にあっても健常者用である。メモを取るときは用紙を片手で押さえ片手に筆記用具を持ちメモを取るのが通常の動作で、片手しか使えない障害者にはこれが極めて困難である。 
【０００３】
【特許文献１】特開2003-310358号公報
【特許文献２】実用新案登録第3065686号公報
【特許文献３】実開平7-24138号公報
【発明の開示】
【発明が解決しようとする課題】
【０００４】
従来の書見台は健常者を対象に作られておりそのほとんどが据置型か大型で、片手しか使えない障害者にとっては極めて不便である。これらの不便を解消し健常者なみに読書が楽しめる書見台作りが課題である。  
【課題を解決するための手段】
【０００５】
本発明の書見台は上記課題を解決する為、図示するように基台（2）の裏面4ヶ所にスベリ止めを付け基台が机に安定するようにし、基台（1）の左右に耳状を作り（6）（10）転倒防止主柱アーチ（19）を設けその中央部に横転落下防止ストッパー（21）を設けた。更にその先端に転倒防止ストッパー（5）を設けた。 
【０００６】
基台（1）の下部左右に耳状（7）（18）を作り耳状の穴に線を通し耳状外側に折り曲げ二本のアーム（13）（14）を作りページを押さえる働きをもたせた。アームの先端にはビーズ玉を取り付け（11）（12）回転の働きを持たせページがスムーズに移行するようにし又、ページが破損しないような働きをもたせた。    
【０００７】
書見中メモが取れるよう基台（1）の下部に公知のクリップ（20）を取り付けクリップに用紙を挟みメモがとれるようにした。   
【０００８】
本発明は携帯用ポケットサイズ型の書見台で［図1］コンパクトで軽量小型、ポケットに入れて持ち運びができ使用後簡単に折りたため、障害者には利便性の高い書見台。
【発明の効果】
【０００９】
本発明は携帯用ポケットサイズ型の書見台であり、軽量小型で片手で簡単に操作ができ何時でもどこへでも持ち運びができて場所を選ばず他人に迷惑をかけることもなく気軽に読書ができる書見台。読書のみならず読書中にメモが取れパソコン等の原稿置台［図4］としても応用ができ健常者なみに読書の楽しみが得られる利用度の高い書見台。
【発明を実施するための最良の形態】
【００１０】
本発明の実施形態を下記の通り説明する。   
本書見台は3通りの実施形態がある。
1.書見台としての形態           
読書する際、本の重心が左右どちら側にかかっているかを確認し左よりの場合は蝶ネジ（8）を緩め基台（2）を左側に基台（1）とL字型に交わるようにし［図8］基台（1）の基台移動用ミゾ（3）を右側に寄せネジ（8）を締め固定する。又、転倒防止主柱アーチ（19）を立て、アームストッパー（17）をストッパー受け（27）に立てる。アーチとアームの間に本を載置し本を見開きストッパー受けからアームを出し右側に少々寄せながらアームで頁を押さえる。  
2.メモを取るときの形態
基台（1）に取り付けてある市販のクリップ（20）に用紙を挟みメモが取れるようにする。        
3.その他
パソコン入力時原稿用紙等は市販のガードケースに差し込み耳状（6）（10）のミゾ（22）（22）に立て［図4］パソコン入力する。
【００１１】
読書後は、１．用紙をクリップから外す。２．アームを納める。３．アーチを納める。４．基台がL字型になっている場合は蝶ネジを緩め基台（1）（2）を一体化し、ネジを締め固定する。折り畳んだ書見台はポケット等に収納する。（尚、ガードケースを使用している場合は先にこれを外す。）   
【図面の簡単な説明】
【００１２】
【図１】書見台を真上から見た展開図
【図２】書見台に本を立てる時の展開図
【図３】書見台に本を立てた時の展開図
【図４】基台（1）の耳状（6）（10）の拡大図と可動式本の背受けミゾ及びガードケースの拡大図
【図５】Ａ.アームストッパー及びストッパー受け拡大図 B.転倒防止主柱アーチのストッパー拡大図
【図６】書見台の後部に本の重心がかかった時の展開図
【図７】書見台の右に本の重心がかかった時の展開図
【図８】書見台の左に本の重心がかかった時の展開図
【図９】基台（2）の裏面図
【符号の説明】
【００１３】
（1）基台
（2）基台
（3）基台移動用ミゾ
（4）可動式本の背受け
（5）転倒防止主柱ストッパー
（6）耳状
（7）耳状
（8）蝶ネジ
（9）ワッシャー
（10）耳状
（11）回転ビーズ
（12）回転ビーズ
（13）ページ押さえアーム
（14）ページ押さえアーム
（15）横転防止ストッパー
（16）横転防止ストッパー
（17）アームストッパー
（18）耳状
（19）転倒防止主柱アーチ
（20）クリップ
（21）ローリング防止爪
（22）ミゾ
（23）可動式本の背受けミゾ
（24）基台（2）の裏面ゴム製スベリ止め
（25）ガードケース（クケ-14硬質プラスチック製Ａ4S型）
（26）横転落下防止ストッパー
（27）アームストッパー受け      
【図１】
2010069189.tif 000003
【図２】
2010069189.tif 000004
【図３】
2010069189.tif 000005
【図４】
2010069189.tif 000006
【図５】
2010069189.tif 000007
【図６】
2010069189.tif 000008
【図７】
2010069189.tif 000009
【図８】
2010069189.tif 000010
【図９】
2010069189.tif 000011